(57)【要約】      （修正有）【課題】筐体の内部から外部への液体漏れを抑制できる記録装置を提供する。【解決手段】記録装置は、液体を吐出して被記録媒体に記録を実行する記録ヘッドと、記録ヘッドから吐出する液体を収容する液体収容部と、記録ヘッド及び液体収容部を備える装置本体の外側を形成する筐体と、装置高さ方向において液体収容部より上に位置し、液体収容部の少なくとも一部と対向可能な、筐体の内面に設けられる少なくとも１つの上方側液体吸収部材６０Ａ、６０Ｂ、６０Ｃとを備える。記録装置は、記録ヘッドを有し、所定の方向に移動可能なキャリッジを備えている。液体収容部はキャリッジに設けられ、少なくとも１つの上方側液体吸収部材は、キャリッジがホームポジションに位置する状態において、液体収容部と対向可能な位置に設けられている。【選択図】図６
2017035839.tif 000002
【特許請求の範囲】
【請求項１】
液体を吐出して被記録媒体に記録を実行する記録ヘッドと、
前記記録ヘッドから吐出する液体を収容する液体収容部と、
前記記録ヘッド及び前記液体収容部を備える装置本体の外側を形成する筐体と、
装置高さ方向において前記液体収容部より上に位置し、前記液体収容部の少なくとも一部と対向可能な、前記筐体の内面に設けられる少なくとも１つの上方側液体吸収部材と、
を備える、
ことを特徴とする記録装置。
【請求項２】
請求項１に記載の記録装置において、前記記録ヘッドを有し、所定の方向に移動可能なキャリッジを備え、
前記液体収容部は前記キャリッジに設けられ、
前記少なくとも１つの上方側液体吸収部材は、前記キャリッジがホームポジションに位置する状態において、前記液体収容部と対向可能な位置に設けられている、
ことを特徴とする記録装置。
【請求項３】
請求項１または請求項２に記載の記録装置において、前記液体収容部の上面には大気開放孔が設けられ、
前記少なくとも１つの上方側液体吸収部材は、前記大気開放孔と対向可能な位置に設けられる、
ことを特徴とする記録装置。
【請求項４】
請求項２に記載の記録装置において、前記キャリッジがホームポジションに位置する状態において、前記所定の方向における前記筐体の一対の内側側面のうち前記所定の方向において最も前記キャリッジに近い側の内側側面には、少なくとも１つの側方側液体吸収部材が設けられている、
ことを特徴とする記録装置。
【請求項５】
請求項１から請求項４のいずれか一項に記載の記録装置において、前記少なくとも一つの上方側液体吸収部材は、前記筐体の内側に形成される隅部分と接している、
ことを特徴とする記録装置。
【請求項６】
請求項１から請求項５のいずれか一項に記載の記録装置において、前記筐体には外部機器に接続される接続部が設けられ、
前記筐体の内側において前記接続部に対応する位置には、接続部液体吸収部材が設けられている、
ことを特徴とする記録装置。
【発明の詳細な説明】
【技術分野】
【０００１】
本発明は、被記録媒体に記録を行う記録装置に関する。  
本願において、記録装置には、所定の方向に記録ヘッドが移動しながら記録を行うシリアルプリンター、記録ヘッドが移動しないラインプリンター、及びこれらプリンター機能を備える複写機、ファクシミリ等の種類が含まれるものとする。
【背景技術】
【０００２】
近年、ノートＰＣや携帯電話機等の普及に伴って、これらの情報機器で得られた情報をオフィスや自宅だけでなく、外出先等において出力することが望まれている。このニーズに応じた小型軽量なモバイルプリンター（以下、「プリンター」という）がある（特許文献１参照）。
【先行技術文献】
【特許文献】
【０００３】
【特許文献１】特開２００７−１１８４４２号公報
【特許文献２】特開平６−３２０７５６号公報
【発明の概要】
【発明が解決しようとする課題】
【０００４】
特許文献１に記載の小型プリンターは小型軽量であることから、ユーザーが鞄等に入れて持ち歩くことが可能であり、ユーザーの移動に応じて様々な場所、例えば屋外や飛行機の機内等に持ち運ばれる。そして、前記プリンターが持ち運ばれる際、例えば前記プリンターを設置面に設置して使用する姿勢を所定の姿勢とすると、所定以外の姿勢、一例として、前記プリンターを傾斜させた姿勢や前記プリンターの上下を裏返した姿勢等で運ばれることがある。
【０００５】
ここで、前記プリンターには被記録媒体に向けてインクを吐出する記録ヘッドに対して前記インクを供給するインクカートリッジを備えている。そして、このインクカートリッジには、例えば該インクカートリッジの使用に伴う前記インクカートリッジ内の圧力を調整するための大気開放孔が設けられている場合がある。
【０００６】
また、前記プリンターを傾斜した姿勢や裏返した姿勢等で持ち運んだ際、前記インクカートリッジ内のインクが前記インクカートリッジ内において前記大気開放孔が設けられた部分の近くに集まることがある。そして、前記プリンターに衝撃が加えることや、前記プリンターが飛行中の飛行機の機内や高地のように気圧が低い環境におかれると、前記大気開放孔から前記インクが前記インクカートリッジの外に漏れ出る虞がある。そして、前記インクカートリッジから漏れ出たインクが前記プリンター内に拡がり、ひいては前記プリンターの外へ漏れ出る虞がある。そして、前記プリンターの外に漏れ出たインクが前記プリンターを収納しているユーザーの鞄等を汚損する虞がある。
【０００７】
ここで、特許文献２に記載のプリンターには、複数のインクカートリッジを有するプリンターカートリッジの装置高さ方向下方に吸水アセンブリーが設けられている。前記吸水アセンブリーは、プリンターカートリッジから漏れ出たインクやプリンター内を漂うインクミストを吸水するように構成されている。
【０００８】
しかしながら、この構成では、前記プリンターの姿勢が、例えば傾斜した姿勢や裏返した姿勢である場合、前記プリンターカートリッジから漏れ出たインクが前記吸水アセンブリー側に向かわずに、前記吸水アセンブリーと異なる方向に流れ出る虞がある。そして、漏れ出たインクが前記吸水アセンブリーで吸水されずに前記プリンターの内部へ拡がり、ひいては外部に漏れ出る虞がある。
【０００９】
本発明は、上記問題点に鑑みてなされたもので、筐体の内部から外部へのインク漏れを抑制できる記録装置を提供することを目的とする。
【課題を解決するための手段】
【００１０】
上記課題を達成するため、本発明の第１の態様の記録装置は、液体を吐出して被記録媒体に記録を実行する記録ヘッドと、前記記録ヘッドから吐出する液体を収容する液体収容部と、前記記録ヘッド及び前記液体収容部を備える装置本体の外側を形成する筐体と、装置高さ方向において前記液体収容部より上に位置し、前記液体収容部の少なくとも一部と対向可能な、前記筐体の内面に設けられる少なくとも１つの上方側液体吸収部材とを備えることを特徴とする。
【００１１】
本態様によれば、装置高さ方向において前記液体収容部より上に位置し、前記液体収容部の少なくとも一部と対向可能な少なくとも１つの上方側液体吸収部材が前記筐体の内面に設けられている。例えば、前記記録装置の姿勢が裏返しの姿勢になっている場合や、前記記録装置の上方側を下方に向けて傾斜した姿勢になっている場合において、前記液体収容部から漏れ出た液体を前記上方側液体吸収部材が吸収することができ、ひいては前記筐体の内側から外側に前記液体が漏れ出ることを抑制できる。また、前記上方側液体吸収部材は前記記録ヘッドから吐出されて前記筐体内を漂う液体ミストを吸収でき、前記筐体内における前記液体ミストによる汚れを低減できる。
【００１２】
本発明の第２の態様の記録装置は、第１の態様において、前記記録ヘッドを有し、所定の方向に移動可能なキャリッジを備え、前記液体収容部は前記キャリッジに設けられ、前記少なくとも１つの上方側液体吸収部材は、前記キャリッジがホームポジションに位置する状態において、前記液体収容部と対向可能な位置に設けられていることを特徴とする。
【００１３】
本態様によれば、前記少なくとも１つの上方側液体吸収部材は、前記キャリッジがホームポジションに位置する状態において、前記液体収容部と対向可能な位置に設けられている。ここで、前記記録装置を持ち運ぶ際、前記キャリッジはホームポジションに位置していることが一般的であるので、前記記録装置の持ち運び時において前記記録装置が衝撃を受ける等により、前記液体収容部から前記液体が漏れ出ても、前記上方側液体吸収部材が前記漏れ出た液体を吸収できるので、前記筐体の内側から外側に前記液体が漏れ出ることを抑制できる。
【００１４】
本発明の第３の態様の記録装置は、第１または第２の態様において、前記液体収容部の上面には大気開放孔が設けられ、前記少なくとも１つの上方側液体吸収部材は、前記大気開放孔と対向可能な位置に設けられることを特徴とする。
【００１５】
本態様によれば、前記少なくとも１つの上方側液体吸収部材は、前記大気開放孔と対向可能な位置に設けられるので、前記大気開放孔から漏れ出る液体をより確実に吸収することができ、前記筐体の内側から外側に前記液体が漏れ出ることを抑制できる。
【００１６】
本発明の第４の態様の記録装置は、第２の態様において、前記キャリッジがホームポジションに位置する状態において、前記所定の方向における前記筐体の一対の内側側面のうち前記所定の方向において最も前記キャリッジに近い側の内側側面には、少なくとも１つの側方側液体吸収部材が設けられていることを特徴とする。
【００１７】
本態様によれば、前記キャリッジがホームポジションに位置する状態において、少なくとも１つの側方側液体吸収部材が前記所定の方向における前記筐体の一対の内側側面のうち前記所定の方向において最も前記キャリッジに近い側の内側側面に設けられているので、前記液体収容部から漏れ出た液体を更に確実に吸収することができる。その結果、前記筐体の内側からの前記液体の漏出を更に抑制できる。
【００１８】
本発明の第５の態様の記録装置は、第４の態様において、前記少なくとも一つの上方側液体吸収部材は、前記筐体の内側に形成される隅部分と接していることを特徴とする。
【００１９】
本態様によれば、上方側液体吸収部材は、前記筐体の内側に形成される隅部分と接しているので、前記隅部分に付着した前記液体が毛細管現象により前記隅部分を伝って前記筐体の外に漏れ出ることを抑制できる。
【００２０】
本発明の第６の態様の記録装置は、第１から第５のいずれか一の態様において、前記筐体には外部機器に接続される接続部が設けられ、前記筐体の内側において前記接続部に対応する位置には、接続部液体吸収部材が設けられていることを特徴とする。
【００２１】
本態様によれば、前記筐体の内側において前記接続部に対応する位置には、接続部液体吸収部材が設けられている。ここで、例えば、前記液体は前記筐体と前記接続部との間の隙間等に入り込み、前記筐体の内側から外側に滲み出ることがある。しかしながら、本態様では、前記接続部に対応する位置、一例として前記接続部を取り囲むように前記接続部液体吸収部材を配置することで、前記液体が前記隙間に入り込むことを低減でき、前記液体が前記筐体の外側に漏れ出ることを抑制できる。
【図面の簡単な説明】
【００２２】
【図１】本発明に係るプリンターにおいてカバーを閉じた状態を示す外観斜視図。
【図２】本発明に係るプリンターにおいてカバーを開いた状態を示す外観斜視図。
【図３】本発明に係るプリンターの用紙搬送経路を示す側断面図。
【図４】本発明に係るプリンターの装置本体を示す斜視図。
【図５】本発明に係るインクカートリッジの斜視図。
【図６】上部ハウジングにおいて上方側インク吸収部材及び側方側インク吸収部材の配置を示す斜視図。
【図７】上部ハウジングにおいて接続部インク吸収部材の配置を示す斜視図。
【図８】キャリッジがホームポジションに位置する状態におけるインクカートリッジと上方側インク吸収部材との位置関係を示す断面図。
【図９】キャリッジがホームポジションに位置する状態におけるインクカートリッジと上方側インク吸収部材との位置関係を示す平面図。
【発明を実施するための形態】
【００２３】
以下、本発明の実施の形態を図面に基づいて説明する。尚、各実施例において同一の構成については、同一の符号を付し、最初の実施例においてのみ説明し、以後の実施例においてはその構成の説明を省略する。
【００２４】
図１は本発明に係るプリンターにおいてカバーを閉じた状態を示す外観斜視図であり、図２は本発明に係るプリンターにおいてカバーを開いた状態を示す外観斜視図であり、図３は本発明に係るプリンターの用紙搬送経路を示す側断面図であり、図４は本発明に係るプリンターの装置本体を示す斜視図であり、図５は本発明に係るインクカートリッジの斜視図である。
【００２５】
また、図６は上部ハウジングにおいて上方側インク吸収部材及び側方側インク吸収部材の配置を示す斜視図であり、図７は上部ハウジングにおいて接続部インク吸収部材の配置を示す斜視図であり、図８はキャリッジがホームポジションに位置する状態におけるインクカートリッジと上方側インク吸収部材との位置関係を示す断面図であり、図９はキャリッジがホームポジションに位置する状態におけるインクカートリッジと上方側インク吸収部材との位置関係を示す平面図である。
【００２６】
また、各図において示すＸ−Ｙ−Ｚ座標系はＸ方向が装置幅方向であるとともに用紙幅方向、Ｙ方向が記録装置の奥行き方向、Ｚ方向が装置高さ方向を示している。尚、各図において−Ｙ方向を装置前面側とし、＋Ｙ方向側を装置背面側とする。
【００２７】
■■■実施例■■■■
＜＜＜プリンターの概要＞＞＞
図１ないし図４を参照して、記録装置の一例としてのインクジェットプリンター１０（以下「プリンター１０」という）の構成要素について説明する。プリンター１０は、装置本体１２（図４参照）と、装置本体１２の周囲を覆って、プリンター１０の外観を構成するハウジング１４と、装置本体１２に対して開閉可能なカバー１６と、カバー１６が開いた姿勢（図２参照）にある際に装置本体１２の上部に露出する操作部１８（図２及び図４参照）とを備えている。また、ハウジング１４は上部ハウジング１４ａと下部ハウジング１４ｂとを備えている。
【００２８】
カバー１６は、閉じた状態においてプリンター１０の上面及び前面の一部を構成する（図１参照）。カバー１６は装置本体１２に対して回動可能に取り付けられている。カバー１６が装置本体１２に対して装置前方側（図２における−Ｙ軸方向）から装置後方側（図２における＋Ｙ軸方向）へ向けて図２における反時計周り方向へ回動すると、図２に示す開いた姿勢となる。本実施例では、カバー１６が図２に示す装置本体１２に対して開いた姿勢にある際、カバー１６の内面は、「被記録媒体」としての用紙Ｐの載置面１６ａとして機能する。
【００２９】
また、図２に示すようにカバー１６が閉じた姿勢（図１参照）から開いた姿勢に変化すると、装置本体１２の上部には操作部１８と、用紙供給口２０とが露出し、装置本体１２の前面には排出口２２が露出する。操作部１８は、プリンター１０を操作するための電源ボタンや印刷設定ボタン、表示パネル等を備えて構成されている。
【００３０】
また、用紙供給口２０は、カバー１６の載置面１６ａに用紙Ｐが載置された際、載置面１６ａから装置本体１２内部に用紙Ｐを供給する。また、排出口２２は、載置面１６ａから用紙供給口２０を介して装置本体１２内に供給された用紙Ｐが、後述する記録部２４により記録が実行された状態で装置前面側（図２における−Ｙ軸方向側）に排出されることを許容する。
【００３１】
また、本実施例においてプリンター１０の装置正面から見て左側面側（図１及び図２における＋Ｘ軸方向側）の端部には外部機器に接続される接続部２６が設けられている。尚、本実施例における「外部機器」とは、一例としてプリンター１０に電力を供給する電源、ＰＣ、タブレット端末、携帯電話機等の通信情報機器等を含んでいる。
【００３２】
本実施例において接続部２６には、外部電源からプリンター１０に電力を供給する電源ケーブルを接続するコネクター部２６ａと、ＰＣ、タブレット端末や携帯電話機等の通信情報機器等とプリンター１０との間で電気信号を送受信する通信ケーブルを接続するコネクター部２６ｂとが設けられている。尚、本実施例では一例としてコネクター部２６ｂはＵＳＢ端子として形成されている。
【００３３】
＜＜＜用紙搬送経路の概要＞＞＞
次いで、図３を参照しながら用紙搬送経路上の構成要素についてさらに詳説する。図３において紙面右側（装置背面側）が給送経路上流であり、紙面左側（装置前面側）が給送経路下流となっている。また、図３における符号Ｐ１が付された破線は、用紙Ｐの搬送経路を示している。
【００３４】
給送経路上流側には、ハウジング１４に対して開かれた状態のカバー１６の載置面１６ａから用紙を給送経路下流側に給送する用紙供給部２８が設けられている。用紙供給部２８は、用紙供給口２０と、該用紙供給口に設けられた一対の用紙ガイド３０と、用紙供給口２０から投入された用紙の少なくとも一部を支持する用紙支持部３２と、該用紙支持部３２と対向する位置に設けられた給送ローラー３４とを備えている。尚、カバー１６と用紙支持部３２とは、用紙Ｐを傾斜姿勢で支持する。
【００３５】
一対の用紙ガイド３０は、図２におけるＸ軸方向において＋Ｘ軸方向側に位置する用紙ガイド３０ａと−Ｘ軸方向側に位置する用紙ガイド３０ｂとを備えている。用紙ガイド３０ａは、−Ｘ軸方向側に位置する用紙ガイド３０ｂに対してＸ軸方向に沿って接近、離間可能なように移動可能に構成されている。つまり、用紙ガイド３０ａは、用紙サイズに応じてユーザーが用紙幅方向（Ｘ方向）にスライド操作できるように設けられている。
【００３６】
用紙支持部３２は、図３において−Ｙ方向側に向かって下がり傾斜状に形成されている。また、給送ローラー３４は、用紙支持部３２に載置された用紙Ｐに対して接離方向に揺動可能に構成されている。給送ローラー３４は、用紙支持部３２に接近する方向に変位した際、用紙支持部３２に載置された最上位の用紙Ｐと接し、該最上位の用紙Ｐを給送経路下流側に給送する。
【００３７】
用紙供給部２８の下流側には搬送部３６が設けられている。搬送部３６には、一対の搬送ローラー対３８が設けられている。搬送ローラー対３８は図示しない駆動源により回転駆動させられる。搬送部３６は、用紙供給部２８から給送された用紙Ｐを搬送ローラー対３８でニップして搬送方向下流側に搬送する。搬送部３６の下流側には記録部２４が設けられている。
【００３８】
記録部２４は、キャリッジ４０と、該キャリッジの底部に設けられた、記録ヘッド４２と、該記録ヘッドに対向し、媒体を支持するプラテン４４とを備えている。記録ヘッド４２は、プラテン４４に支持された用紙Ｐと対向する。キャリッジ４０は、装置本体１２内部に設けられた制御部（図示せず）により制御される駆動モーター４６（図４参照）によって「所定の方向」である図４におけるＸ軸方向に往復動する様に駆動される。また、プラテン４４は、用紙Ｐを下方から支持することにより、媒体の記録面と記録ヘッド４２のヘッド面との間の距離（ギャップ）を規定する。
【００３９】
記録部２４では、プラテン４４に支持された用紙Ｐが記録ヘッド４２に対向した際、記録ヘッド４２の複数のノズル穴（図示せず）から「液体」としてのインクが用紙Ｐに向けて吐出され、当該インクが用紙Ｐの記録面（記録ヘッド４２に対向する面）に着弾することにより記録が実行される。
【００４０】
記録部２４の搬送方向下流側には、排出部４８が設けられている。排出部４８は、排出駆動ローラー対５０を備えている。記録部２４で記録が実行された用紙Ｐは、排出駆動ローラー対５０にニップされて装置前面に形成された排出口２２から装置前方に向けて排出される。尚、排出駆動ローラー対５０は図示しない駆動モーターにより回転駆動させられる。
【００４１】
＜＜＜キャリッジ及びインクカートリッジの概要＞＞＞
次に、図４に示すようにキャリッジ４０は、装置本体１２において装置幅方向における両端部の間で移動可能に構成されている。つまり、装置本体１２において−Ｘ軸方向側の端部と＋Ｘ軸方向側の端部との間がキャリッジ４０の移動領域となる。尚、本実施例においてキャリッジ４０の移動領域における−Ｘ軸方向側の端部は、ホームポジション（図４及び図９参照）に設定されており、以下の説明では−Ｘ軸方向側の端部をホームポジション側端部とし、＋Ｘ軸方向側端部をホームポジションと反対側の端部とする。
【００４２】
また、本実施例において、キャリッジ４０がホームポジションに位置する状態において、キャリッジ４０の下方にはキャップ手段（不図示）及びメンテナンス手段（不図示）が設けられている。尚、キャップ手段（不図示）は、キャリッジ４０がホームポジションに位置する際、記録ヘッド４２と対向し、当該記録ヘッド４２のノズル形成面（図示せず）に押し付けられ、当該ノズル形成面を封止してインクの乾燥を防止できるようになっている。また、本実施例において前記キャップ手段は、記録ヘッド４２に押しつけられた封止状態と、記録ヘッド４２から離間した離間状態とをとり得るように構成されている。
【００４３】
また、プリンター１０における記録動作実行中に一定のタイミングでフラッシング動作が行われる。このフラッシング動作は、キャリッジ４０をホームポジションに一時的に移動させ、前記キャップ手段に向けて記録ヘッド４２からインクを噴射して打ち捨てる動作である。
【００４４】
また、メンテナンス手段（不図示）は、記録ヘッド４２のノズル面に接した状態でメンテナンス手段と記録ヘッド４２とを図４におけるＸ軸方向に相対移動させることにより記録ヘッド４２の前記ノズル形成面に付着したインクをこそぎ落として前記ノズル形成面をクリーニングする、すなわちワイピング動作を行うように構成されている。
【００４５】
また、キャリッジ４０は、図３及び図４に示すように箱状の筐体５２と、筐体５２の下部に設けられた記録ヘッド４２を備えている。箱状の筐体５２は装置高さ方向上方に向けて開放されており、「液体収容部」としてのインクカートリッジ５４Ａ、５４Ｂが着脱可能に装着されている。また、筐体５２及び記録ヘッド４２には、インクカートリッジ５４Ａ、５４Ｂがキャリッジ４０の筐体５２に装着された状態においてインクカートリッジ５４Ａ、５４Ｂに収容されたインクを記録ヘッド４２の各ノズルに向けて供給可能な流路（不図示）が形成されている。
【００４６】
図５を参照するに、本実施例においてインクカートリッジ５４Ａは、単色、本実施例では黒色のインクを収容するインクカートリッジとして構成されている。より具体的には、インクカートリッジ５４Ａ内には黒色インクに対応するインク収容室が設けられている。
【００４７】
また、インクカートリッジ５４Ｂは、本実施例においてマゼンタ、シアン、イエローの３色のインクを収容するカラーインクカートリッジとして構成されている。より具体的には、インクカートリッジ５４Ｂ内には各色に対応するインク収容室が設けられている。
【００４８】
そして、インクカートリッジ５４Ａ、５４Ｂはキャリッジ４０の筐体５２に装着された状態において黒、マゼンタ、シアン、イエローの各色のインクを記録ヘッド４２のノズルへと供給する。
【００４９】
また、インクカートリッジ５４Ａの上面には大気開放孔５６Ａが設けられている。大気開放孔５６Ａは、インクカートリッジ５４Ａの上面において開口されている。そして、大気開放孔５６Ａは、インクカートリッジ５４Ａの上面に設けられた細く曲がりくねった圧力調整流路５８Ａを介してインクカートリッジ５４Ａ内のインク収容室と連通している。尚、図４及び図９において圧力調整流路５８Ａ及び後述する圧力調整流路５８Ｂ、５８Ｃ、５８Ｄの図示は省略している。
【００５０】
そして、インクカートリッジ５４Ａ内に収容された黒色インクがその使用により量を減らすと、大気開放孔５６Ａ及び圧力調整流路５８Ａを通って外気が供給され、インクカートリッジ５４Ａ内の気圧が調整される。また、インクカートリッジ５４Ａ内の圧力が高まったときは、大気開放孔５６Ａ及び圧力調整流路５８Ａを通ってインクカートリッジ５４Ａ内の気体がインクカートリッジ５４Ａ外に排気され、インクカートリッジ５４Ａ内の気圧が調整される。すなわち、大気開放孔５６Ａ及び圧力調整流路５８Ａはインクカートリッジ５４Ａ内のインク収容室の気圧を調整するように構成されている。
【００５１】
また、図５に示すようにインクカートリッジ５４Ｂにも、その上面に大気開放孔５６Ｂ、５６Ｃ、５６Ｄが設けられている。そして、大気開放孔５６Ｂ、５６Ｃ、５６Ｄは、インクカートリッジ５４Ｂの上面においてそれぞれ開口されている。また、インクカートリッジ５４Ｂの上面には、細く曲がりくねった圧力調整流路５８Ｂ、５８Ｃ、５８Ｄが設けられている。
【００５２】
本実施例では、一例として大気開放孔５６Ｂは圧力調整流路５８Ｂを介してマゼンタのインクを収容するインク収容室と連通し、大気開放孔５６Ｃは圧力調整流路５８Ｃを介してシアンのインクを収容するインク収容室と連通し、大気開放孔５６Ｄは圧力調整流路５８Ｄを介してイエローのインクを収容するインク収容室と連通している。そして、大気開放孔５６Ｂ、５６Ｃ、５６Ｄ及び圧力調整流路５８Ｂ、５８Ｃ、５８Ｄはインクカートリッジ５４Ｂ内の各色に対応するインク収容室の気圧を調整するように構成されている。
【００５３】
＜＜＜インク吸収部材について＞＞＞
次いで、図６ないし図９を参照してインク吸収部材について説明する。図６を参照するに、ハウジング１４の上部ハウジング１４ａの「内面」としての裏面１４ｃには少なくとも１つの「上方側液体吸収部材」としての上方側インク吸収部材６０が設けられている。本実施例において、上方側インク吸収部材６０は３つ設けられている。上方側インク吸収部材６０Ａ、６０Ｂ、６０Ｃは、図９に示すようにキャリッジ４０が装置本体１２における−Ｘ軸方向側の端部、すなわちホームポジションに位置する状態において、インクカートリッジ５４Ａ、５４Ｂの少なくとも一部の上方に位置している。つまり、上方側インク吸収部材６０Ａ、６０Ｂ、６０Ｃは、インクカートリッジ５４Ａ、５４Ｂの少なくとも一部と対向している（図８参照）。
【００５４】
より具体的には、図９において破線で示すように上方側インク吸収部材６０Ａはホームポジションにおいて装置前方側に配置されている。また、本実施例において上方側インク吸収部材６０Ａは装置幅方向においてインクカートリッジ５４Ａ及びインクカートリッジ５４Ｂをまたぐように配置されている。さらに、上方側インク吸収部材６０Ａはインクカートリッジ５４の上面に設けられた大気開放孔５６Ａと対向しない位置、つまり大気開放孔５６Ａに対してずれた位置に設けられている。
【００５５】
また、上方側インク吸収部材６０Ｂ、６０Ｃ（図９破線部参照）はキャリッジ４０がホームポジションに位置する状態においてインクカートリッジ５４Ｂの上方において装置奥行き方向に沿って設けられている。上方側インク吸収部材６０Ｂは装置奥行き方向前方側に配置され、上方側インク吸収部材６０Ｃは、装置奥行き方向において上方側インク吸収部材６０Ｂと間隔をおいて上方側インク吸収部材６０Ｂの後方に配置されている。また、上方側インク吸収部材６０Ｂは、インクカートリッジ５４Ｂの上面に設けられた大気開放孔５６Ｂ、５６Ｃ、５６Ｄと対向する位置に設けられている。
【００５６】
また、本実施例において、上方側インク吸収部材６０Ａ、６０Ｂ、６０Ｃは、上部ハウジング１４ａの裏面１４ｃに形成された凹凸形状の隅部に接するように配置されている。尚、本実施例における「隅部分」とは、当該隅部分に付着したインクが毛細管現象により拡がっていくような部分をいい、ハウジング１４における裏面１４ｃと内側側面１４ｄ、１４ｅとが交わる部分に形成される角部、裏面１４ｃ、内側側面１４ｄ、１４ｅ、下部ハウジング１４ｂにおいて形成された凹状部や凸状部の角部を含んでいる。
【００５７】
より具体的に説明すると、本実施例では図６及び図８に示すように裏面１４ｃには装置奥行き方向に沿って延び、装置高さ方向下方側に突出している凸状部６２が形成されている。図８に示すように凸状部６２の装置高さ方向上部は凹部として形成され、カバー１６の端部を受け入れるように構成されている。
【００５８】
ここで、裏面１４ｃと凸状部６２とが形成する隅部分６２ａにインクが付着すると、インクは毛細管現象により隅部分６２ａに沿って拡がっていく。本実施例では、上方側インク吸収部材６０Ａ、６０Ｂ、６０Ｃの少なくとも一部が隅部分６２ａと接しているので、隅部分６２ａに付着したインクを吸収し、インクの拡散を抑制できる。
【００５９】
また、図６及び図８（破線部参照）に示すように、上部ハウジング１４ａにおいて−Ｘ軸方向側の内側側面１４ｄには、「側方側液体吸収部材」としての側方側インク吸収部材６４が設けられている。側方側インク吸収部材６４は、キャリッジ４０がホームポジションに位置する状態において、装置高さ方向において記録ヘッド４２に対応する高さに設けられている。より具体的には、側方側インク吸収部材６４が設けられた領域が、装置高さ方向において記録ヘッド４２の設けられた領域とオーバーラップするように構成されている。
【００６０】
そして、本実施例において、前記フラッシング動作により生じたインクミストの一部及び前記ワイピング動作により記録ヘッド４２のノズル面から内側側面１４ｄ側に向けて飛び出させられたインクの飛沫の一部は側方側インク吸収部材６４により吸収される。
【００６１】
次いで、図７を参照して接続部インク吸収部材６６について説明する。上部ハウジング１４ａの＋Ｘ軸方向側の端部、すなわち内側側面１４ｅには接続部２６が設けられている。本実施例では、一例として内側側面１４ｅの一部に開口が設けられ、該開口にコネクター部２６ａ及びコネクター部２６ｂを有する接続部２６が取り付けられている。
【００６２】
そして、内側側面１４ｅにおいて、接続部２６に対応する位置、つまり接続部２６を取り囲むように「接続部液体吸収部材」としての接続部インク吸収部材６６が設けられている。本実施例では、接続部インク吸収部材６６が接続部２６を取り囲むように配置されているので、内側側面１４ｅと接続部２６との間の隙間にインクが流れ込むことを阻害できる。したがって、インクがハウジング１４の内側から外側に漏れ出ることを抑制できる。
【００６３】
また、本実施例において、上方側インク吸収部材６０（６０Ａ、６０Ｂ、６０Ｃ）、側方側インク吸収部材６４及び接続部インク吸収部材６６は、一例として繊維状の樹脂により形成されている。あるいは、その他の例として上方側インク吸収部材６０、側方側インク吸収部材６４及び接続部インク吸収部材６６を多孔質の樹脂、あるいはセルロースを材料として構成してもよい。そして、上方側インク吸収部材６０、側方側インク吸収部材６４及び接続部インク吸収部材６６において吸収したインクの水分が蒸発すると、当該部材における吸収能力が回復する。
【００６４】
＜＜＜実施例の変更例＞＞＞
（１）本実施例において、インクカートリッジ５４Ａ、５４Ｂをキャリッジ４０に装着する構成としたが、この構成に代えて、インクカートリッジ５４Ａ、５４Ｂをハウジング１４内に設けてインクチューブ等によりインクカートリッジ５４Ａ、５４Ｂから記録ヘッド４２に向けてインクを供給する構成であってもよい。
（２）本実施例においてインク吸収部材６０、６４、６６をそれぞれ裏面１４ｃや内側側面１４ｄ、１４ｅに設ける構成としたが、この構成に代えてハウジング１４において凹凸形状のある部分や、ハウジング１４の内側と外側とを繋ぐ隙間がある部分にインク吸収部材６０、６４、６６をそれぞれ設ける構成としてもよい。
（３）本実施例において、上方側インク吸収部材６０をキャリッジ４０のホームポジションに対応する位置に設ける構成としたが、この構成に代えて上部ハウジング１４ａの裏面１４ｃにおいてキャリッジ４０の移動領域を覆うように設ける構成としてもよい。
【００６５】
上記説明をまとめると、本実施例におけるプリンター１０は、インクを吐出して用紙Ｐに記録を実行する記録ヘッド４２と、記録ヘッド４２から吐出するインクを収容するインクカートリッジ５４Ａ、５４Ｂと、記録ヘッド４２及びインクカートリッジ５４Ａ、５４Ｂを備える装置本体１２の外側を形成するハウジング１４と、装置高さ方向においてインクカートリッジ５４Ａ、５４Ｂより上に位置し、インクカートリッジ５４Ａ、５４Ｂの少なくとも一部と対向可能な、ハウジング１４の裏面１４ｃに設けられる少なくとも１つの上方側インク吸収部材６０とを備えている。
【００６６】
上記構成によれば、装置高さ方向においてインクカートリッジ５４Ａ、５４Ｂより上に位置し、インクカートリッジ５４Ａ、５４Ｂの少なくとも一部と対向可能な少なくとも１つの上方側インク吸収部材６０がハウジング１４の裏面１４ｃに設けられている。例えば、プリンター１０の姿勢が裏返しの姿勢になっている場合や、プリンター１０の上方側を下方に向けて傾斜した姿勢になっている場合において、インクカートリッジ５４Ａ、５４Ｂから漏れ出たインクを上方側インク吸収部材６０が吸収することができ、ひいてはハウジング１４の内側から外側にインクが漏れ出ることを抑制できる。また、上方側インク吸収部材６０は記録ヘッド４２から吐出されてハウジング１４内を漂うインクミストを吸収でき、ハウジング１４内におけるインクミストによる汚れを低減できる。
【００６７】
また、プリンター１０は、記録ヘッド４２を有し、所定の方向である装置幅方向に移動可能なキャリッジ４０を備えている。インクカートリッジ５４Ａ、５４Ｂはキャリッジ４０に設けられている。少なくとも１つの上方側インク吸収部材６０は、キャリッジ４０がホームポジションに位置する状態において、インクカートリッジ５４Ａ、５４Ｂと対向可能な位置に設けられている。
【００６８】
上記構成によれば、少なくとも１つの上方側インク吸収部材６０は、キャリッジ４０がホームポジションに位置する状態において、インクカートリッジ５４Ａ、５４Ｂと対向可能な位置に設けられている。ここで、プリンター１０を持ち運ぶ際、キャリッジ４０はホームポジションに位置していることが一般的であるので、プリンター１０の持ち運び時においてプリンター１０が衝撃を受ける等により、インクカートリッジ５４Ａ、５４Ｂからインクが漏れ出ても、上方側インク吸収部材６０が漏れ出たインクを吸収できるので、ハウジング１４の内側から外側にインクが漏れ出ることを抑制できる。
【００６９】
また、プリンター１０において、インクカートリッジ５４Ａ、５４Ｂの上面には大気開放孔５６Ａ、５６Ｂ、５６Ｃ、５６Ｄが設けられ、少なくとも１つの上方側インク吸収部材６０Ｂは、大気開放孔５６Ｂ、５６Ｃ、５６Ｄと対向可能な位置に設けられる。
【００７０】
上記構成によれば、少なくとも１つの上方側インク吸収部材６０Ｂは、大気開放孔５６Ｂ、５６Ｃ、５６Ｄと対向可能な位置に設けられるので、大気開放孔５６Ｂ、５６Ｃ、５６Ｄから漏れ出るインクをより確実に吸収することができ、ハウジング１４の内側から外側にインクが漏れ出ることを抑制できる。
【００７１】
また、プリンター１０において、キャリッジ４０がホームポジションに位置する状態において、所定の方向である装置幅方向における上部ハウジング１４ａの一対の内側側面１４ｄ、１４ｅのうち装置幅方向において最もキャリッジ４０に近い側の内側側面１４ｄには、少なくとも１つの側方側インク吸収部材６４が設けられている。
【００７２】
上記構成によれば、キャリッジ４０がホームポジションに位置する状態において、少なくとも１つの側方側インク吸収部材６４が装置幅方向における上部ハウジング１４ａの一対の内側側面１４ｄ、１４ｅのうち装置幅方向において最もキャリッジ４０に近い側の内側側面１４ｄに設けられているので、側方側インク吸収部材６４はインクカートリッジ５４Ａ、５４Ｂから漏れ出たインクを更に確実に吸収することができる。その結果、ハウジング１４の内側からのインクの漏出を更に抑制できる。
【００７３】
また、プリンター１０において、少なくとも一つの上方側インク吸収部材６０Ａ、６０Ｂ、６０Ｃは、上部ハウジング１４ａの内側に形成される凸状部６２の隅部分６２ａと接している。
【００７４】
上記構成によれば、上方側インク吸収部材６０Ａ、６０Ｂ、６０Ｃは、上部ハウジング１４ａの内側の裏面１４ｃに形成される凸状部６２と裏面１４ｃとの間の隅部分６２ａと接しているので、隅部分６２ａに付着したインクが毛細管現象により隅部分６２ａを伝ってハウジング１４の外に漏れ出ることを抑制できる。
【００７５】
また、プリンター１０において、上部ハウジング１４ａには外部機器に接続される接続部２６が設けられ、上部ハウジング１４ａの内側側面１４ｅにおいて接続部２６に対応する位置には、接続部インク吸収部材６６が設けられている。
【００７６】
上記構成によれば、ハウジング１４の内側側面１４ｅにおいて接続部２６に対応する位置には、接続部インク吸収部材６６が設けられている。ここで、例えば、インクは上部ハウジング１４ａと接続部２６との間の隙間等に入り込み、ハウジング１４の内側から外側に滲み出ることがある。しかしながら、本実施例では、接続部２６に対応する位置、一例として接続部２６を取り囲むように接続部インク吸収部材６６を配置することで、インクが隙間に入り込むことを低減でき、インクがハウジング１４の外側に漏れ出ることを抑制できる。
【００７７】
また、本実施形態では本発明に係るインク吸収部材６０、６４、６６を記録装置の一例としてのインクジェットプリンターに適用したが、その他液体噴射装置一般に適用することも可能である。  
ここで、液体噴射装置とは、インクジェット式記録ヘッドが用いられ、該記録ヘッドからインクを吐出して被記録媒体に記録を行うプリンター、複写機及びファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含むものである。
【００７８】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【００７９】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００８０】
１０  プリンター、１２  装置本体、１４  ハウジング、１４ａ  上部ハウジング、
１４ｂ  下部ハウジング、１４ｃ  裏面、１４ｄ、１４ｅ  内側側面、１６  カバー、
１６ａ  載置面、１８  操作部、２０  用紙供給口、２２  排出口、２４  記録部、
２６  接続部、２６ａ、２６ｂ  コネクター部、２８  用紙供給部、
３０、３０ａ、３０ｂ  用紙ガイド、３２  用紙支持部、３４  給送ローラー、
３６  搬送部、３８  搬送ローラー対、４０  キャリッジ、４２  記録ヘッド、
４４  プラテン、４６  駆動モーター、４８  排出部、５０  排出駆動ローラー対、
５２  筐体、５４  、５４Ａ、５４Ｂ  インクカートリッジ、
５６Ａ、５６Ｂ、５６Ｃ、５６Ｄ  大気開放孔、
５８Ａ、５８Ｂ、５８Ｃ、５８Ｄ  圧力調整流路、
６０、６０Ａ、６０Ｂ、６０Ｃ  上方側インク吸収部材、６２  凸状部、６２ａ  隅部分、
６４  側方側インク吸収部材、６６  接続部インク吸収部材、Ｐ  用紙、ＰＣ  ノート
【図１】
2017035839.tif 000003
【図２】
2017035839.tif 000004
【図３】
2017035839.tif 000005
【図４】
2017035839.tif 000006
【図５】
2017035839.tif 000007
【図６】
2017035839.tif 000008
【図７】
2017035839.tif 000009
【図８】
2017035839.tif 000010
【図９】
2017035839.tif 000011